(57)【要約】【課題】観賞魚用水槽の内壁に固定する各種のボックスの取り付け及び取り外しを簡便に行うボックスホルダを提供する。【解決手段】ホルダ１は、水槽の内壁に固定するための吸盤を有しボックス及び水槽の内壁間に介在される基部１１と、ボックス背面の左右方向両側に当接される背面支持部１３と、ボックス底面の背面側縁部を受ける底面受け部１４と、ボックス両側面の背面側縁部を支持する両側面支持部１５、１５と、ボックスを正面側から背面側に向けて押えるボックス押え部１６とを備え、このホルダを水槽の内壁に取り付けて、ボックスを保持する。【選択図】図１
2008237106.tif 000002
【特許請求の範囲】
【請求項１】
観賞魚用の水槽の内壁に、各種のボックスを固定するための水槽用ボックスホルダであって、
前記水槽の内壁に固定するための吸盤を有し、前記ボックスと前記水槽の内壁との間に介在される基部と、
前記基部に設けられて、前記ボックス背面の少なくとも左右方向両側に当接される背面支持部と、
前記基部に設けられて、前記ボックス底面の背面側縁部を受ける底面受け部と、
前記基部に設けられて、前記ボックス両側面の背面側縁部を支持する両側面支持部と、
前記基部及び前記ボックス間に設けられて、前記ボックスを少なくとも正面側から背面側に向けて押えるボックス押え部と、
を備え、
前記基部を前記吸盤を介して前記水槽の内壁に固定して、前記基部に設けられた各部により前記ボックスを上下方向に着脱可能に保持することを特徴とする水槽用ボックスホルダ。
【請求項２】
基部は枠形状に形成されてその後面四隅に吸盤が取り付けられ、背面支持部が少なくとも前記基部両側の内側縁に前方に向けて突設され、底面受け部が前記基部の下部に前方に向けて突設され、両側面支持部が前記基部両側の外側縁に前方に向けて突設され、ボックス押え部が、ボックスの両側面上部に両側方に向けて突設された突状部と、前記両側面支持部の上部に内方に向けて突設されて前記突状部に係合可能な係止部とにより構成される請求項１に記載の水槽用ボックスホルダ。
【請求項３】
基部はボックス背面の両側に対応する一対の基材により形成されて前記各基材の後面上下に吸盤が取り付けられ、背面支持部が前記各基材の内側縁に前方に向けて突設され、底面受け部が前記各基材の下部に前方に向けて突設され、両側面支持部が前記各基材の外側縁に前方に向けて突設され、ボックス押え部が、ボックスの両側面上部に両側方に向けて突設された突状部と、前記両側面支持部の上部に内方に向けて突設されて前記突状部に係合可能な係止部とにより構成される請求項１に記載の水槽用ボックスホルダ。
【請求項４】
基部はボックス背面の四隅に対応する４つの基材により形成されて前記各基材の後面に吸盤が取り付けられ、背面支持部が前記各基材の内側縁に前方に向けて突設され、底面受け部が前記各基材のうち下部の各基材に前方に向けて突設され、両側面支持部が前記各基材の外側縁に前方に向けて突設され、ボックス押え部が、ボックスの両側面上部に両側方に向けて突設された突状部と、前記各基材のうち上部の各基材の両側面支持部に内方に向けて突設されて前記突状部に係合可能な係止部とにより構成される請求項１に記載の水槽用ボックスホルダ。
【請求項５】
観賞魚用の水槽の内壁に固定される各種ボックスにおいて、請求項１乃至請求項４に記載の水槽用ボックスホルダを備えたことを特徴とする水槽用各種ボックス。
【請求項６】
各種ボックスに産卵ボックス、生体用隔離ボックス、孵化器を含む請求項５に記載の水槽用各種ボックス。
【発明の詳細な説明】
【技術分野】
【０００１】
本発明は、観賞魚用の水槽の内壁に各種のボックスを固定するための水槽用ボックスホルダ、及びこれを備えた水槽用各種ボックスに関する。
【背景技術】
【０００２】
観賞魚用の水槽には、同じ水槽の中で産卵期の親魚と親魚から産み落とされた稚魚（卵胎生魚）若しくは卵を各別に飼育するのに使用する産卵ボックス、同じ水槽の中でベタやエビ類など他の魚との混泳が困難な小型の生物を他の魚から隔離して育成するのに使用する生体用隔離ボックス、同じ水槽の中で観賞魚の稚魚のエサとして最適なブラインシュリンプエッグスなどを稚魚から隔離して孵化させるのに使用する孵化器など、各種のボックスが必要に応じて取り付けられる。これらのボックスは一般に、ボックスの背面壁に吸盤が取り付けられて、この吸盤を介して、水槽の内壁（ガラス面）に固定される。この種のボックス、及びこの種のボックスと水槽との固定構造が特許文献１などに記載されているので、参照されたい。
【特許文献１】実開昭６４−３５６１号公報
【発明の開示】
【発明が解決しようとする課題】
【０００３】
しかしながら、この種のボックスは、既述のとおり、ボックスの背面壁に吸盤が取り付けられて、この吸盤を介して、水槽の内壁（ガラス面）に固定されるため、水槽からボックスを取り外す場合に、ボックスの吸盤が水槽のガラス面に密に吸着して、ボックスとガラス面との間の隙間が小さいことから、吸盤は外れにくく、ボックスを水槽から容易に取り外すことできないという問題があった。ボックスが水槽からなかなか外れないと、これを無理に取り外そうとして、水槽を動かして水槽内の水をこぼしたり、ボックスの中に収容された魚や卵をボックスの内壁や仕切り板にぶつけて損傷させたりすることがあり、この点も配慮して、ボックスの取り外しは簡便であることが望ましい。
【０００４】
本発明は、このような従来の問題を解決するもので、観賞魚用水槽の内壁に固定する各種のボックスの取り付け及び取り外しを簡便に行うことのできる水槽用ボックスホルダ及びこれを備えた水槽用各種ボックスを提供すること、を目的とする。
【課題を解決するための手段】
【０００５】
上記目的を達成するために、本発明の水槽用ボックスホルダは、観賞魚用の水槽の内壁に、各種のボックスを固定するための水槽用ボックスホルダであって、前記水槽の内壁に固定するための吸盤を有し、前記ボックスと前記水槽の内壁との間に介在される基部と、前記基部に設けられて、前記ボックス背面の少なくとも左右方向両側に当接される背面支持部と、前記基部に設けられて、前記ボックス底面の背面側縁部を受ける底面受け部と、前記基部に設けられて、前記ボックス両側面の背面側縁部を支持する両側面支持部と、前記基部及び前記ボックス間に設けられて、前記ボックスを少なくとも正面側から背面側に向けて押えるボックス押え部と、を備え、前記基部を前記吸盤を介して前記水槽の内壁に固定して、前記基部に設けられた各部により前記ボックスを上下方向に着脱可能に保持することを要旨とする。
【０００６】
本発明はまた、次のように具体化される。第１に、基部は枠形状に形成されてその後面四隅に吸盤が取り付けられ、背面支持部が少なくとも前記基部両側の内側縁に前方に向けて突設され、底面受け部が前記基部の下部に前方に向けて突設され、両側面支持部が前記基部両側の外側縁に前方に向けて突設され、ボックス押え部が、ボックスの両側面上部に両側方に向けて突設された突状部と、前記両側面支持部の上部に内方に向けて突設されて前記突状部に係合可能な係止部とにより構成される。第２に、基部はボックス背面の両側に対応する一対の基材により形成されて前記各基材の後面上下に吸盤が取り付けられ、背面支持部が前記各基材の内側縁に前方に向けて突設され、底面受け部が前記各基材の下部に前方に向けて突設され、両側面支持部が前記各基材の外側縁に前方に向けて突設され、ボックス押え部が、ボックスの両側面上部に両側方に向けて突設された突状部と、前記両側面支持部の上部に内方に向けて突設されて前記突状部に係合可能な係止部とにより構成される。第３に、基部はボックス背面の四隅に対応する４つの基材により形成されて前記各基材の後面に吸盤が取り付けられ、背面支持部が前記各基材の内側縁に前方に向けて突設され、底面受け部が前記各基材のうち下部の各基材に前方に向けて突設され、両側面支持部が前記各基材の外側縁に前方に向けて突設され、ボックス押え部が、ボックスの両側面上部に両側方に向けて突設された突状部と、前記各基材のうち上部の各基材の両側面支持部に内方に向けて突設されて前記突状部に係合可能な係止部とにより構成される。
【０００７】
また、本発明の水槽用各種ボックスは、観賞魚用の水槽の内壁に固定される各種ボックスにおいて、上記（記載）の水槽用ボックスホルダを備えたことを要旨とする。この場合、各種ボックスに産卵ボックス、生体用隔離ボックス、孵化器を含む。
【発明の効果】
【０００８】
本発明の水槽用ボックスホルダ及びこれを備えた水槽用各種ボックスは、上記の構成により、水槽用ボックスホルダの基部が吸盤を介して水槽の内壁に固定され、この基部の各部により各種ボックスが上下方向に着脱可能に保持されるので、各種ボックスを水槽に取り付ける場合、水槽用ボックスホルダを吸盤により水槽の内壁に固定しておき、このホルダにボックスを上から下に向けて嵌め込むか、あるいはホルダに各種ボックスを嵌め込み、このまま、ホルダを吸盤により水槽の内壁に固定すればよく、また、ボックスを水槽から取り外す場合は、このホルダに保持された各種ボックスを下から上に向けて持ち上げればよく、各種ボックスの水槽への取り付け及び取り外しを簡便に行うことができる。また、このホルダは、基部が枠形状に又は一対の基部材若しくは４つの基部材により形成され、その後面に吸盤が取り付けられるので、基部の吸盤が水槽の内壁から外しやすく、このホルダそれ自体も水槽の内壁から容易に取り外すことができる。
【発明を実施するための最良の形態】
【０００９】
以下、本発明の実施の形態について、図１を用いて説明する。図１に第１の実施の形態を示している。図１において、１０は水槽用各種ボックスであり、１はこのボックスを水槽の内壁に取り付けるための水槽用ボックスホルダである。この実施の形態では、水槽用各種ボックス１を産卵箱として例示するので、以下の説明においては、このボックス１０をベビーボックスという。そして、ここで水槽用ボックスホルダ１はベビーボックス用のボックスホルダとして例示し、以下の説明において、単にボックスホルダという。なお、このボックスホルダ１はベビーボックス１０に付設される一部品として構成することができることは勿論のこと、それ単体で、既存のベビーボックス１０を水槽に取り付けるための専用器具として構成することもできる。
【００１０】
ベビーボックス１０は（透明の）プラスチック成形品で、ボックス本体１０１と、第１、第２の仕切り板１１０、１１５と、蓋１１７と、さらにフィルタ装置１２１とにより構成される。
【００１１】
ボックス本体１０１は上面に開口１０２を有する横長の略直方体状に、かつ正面の左右両側のコーナーにＲを付けて形成され、左右の両側面壁１０３の上部、中間部、下部、さらに底面壁１０４に成魚及び稚魚、卵の通過を許さない（すなわち、通過不可能な）複数の通水孔１０５が形成されて、全体が通水構造になっている。このボックス本体１０１の場合、左右の各側面壁１０３の内側面下部には、（この内側面の）前後方向の中心を対称中心にして前後に対称的に突状部１０６が底面壁１０４から所定の高さまで設けられる。また、左右の各側面壁１０３の上縁部はその中央部分が少し凹状に切り欠かれ、左右の各側面壁１０３の下縁部はその中央部分が僅かに下方に向けて凸状に突出されて、これら凹部１０７と凸部１０８によりフィルタ装置の取付部１０９が設けられる。また、このようにフィルタ装置の取付部１０９が左右の各側面壁１０３に設けられた関係で、左右の両側面壁１０３の上部、中間部、下部の各通水孔１０５はフィルタ装置１２１の取り付け位置の範囲内に形成され、フィルタ装置１２１に対応される。この場合、左側面壁１０３の上部の通水孔１０５はフィルタ装置１２１の取り付け位置上において後側の半面又は前側の半面の範囲に、中間部、下部の各通水孔１０５はフィルタ装置１２１の取り付け位置上において前側の半面又は後側の半面の範囲に互い違いに設けられ、これとは反対に、右側面壁１０３の上部の通水孔はフィルタ装置１２１の取り付け位置上において前側の半面又は後側の半面の範囲に、中間部、下部の各通水孔１０５はフィルタ装置１２１の取り付け位置上において後側の半面又は前側の半面の範囲に互い違いに設けられる。このようにしてフィルタ装置の取付部１０９は１つのフィルタ装置１２１が左右の各側面壁１０３の取付部１０９のどちらにも（選択的に）取り付け可能に形成される。
【００１２】
第１の仕切り板１１０はボックス本体１０１内部を上下に区画するための板状の部品で、全体がボックス本体１０１の開口１０２に対応する大きさ及び形状に、かつ前後方向中心で折曲されて断面略Ｖ字形に形成されるとともに、前後方向中心（折曲部分）を溝形形状に形成されてその底面に稚魚や卵の通過を許し（すなわち、通過可能に）、反対に、親魚その他の成魚の通過は許さない（すなわち、通過不可能に）スリット１１１が開口される。また、この仕切り板１１０の場合、前後の各傾斜面の上面で左右方向中央にそれぞれ、一対の突状部１１２が第２の仕切り板１１５が嵌合可能な所定の隙間間隔で前後方向に向けて形成され、第２の仕切り板１１５のための取付溝１１３が併せて設けられる。なお、この仕切り板１１０は、図示のように、各傾斜面間に複数のリブが形成されて補強を施されることが好ましい。
【００１３】
第２の仕切り板１１５はボックス本体１０１内部の第１の仕切り板１１０で区画される上方の空間をさらに左右に区画するための板状の部品で、全体がボックス本体１０１内部の第１の仕切り板１１０上で上方の空間を左右方向両側に遮断可能な略五角形状で、かつその上部の両側が少し略Ｌ形に切り欠かれた外形に形成され、その略中央に成魚の通過を許さない通水孔１１６が形成される。
【００１４】
蓋１１７はボックス本体１０１の上面に対応する長方形状に、かつ正面側左右両側のコーナーにＲを付けて形成され、その下面側で外周縁よりも内側にボックス本体１０１の上面開口１０２に嵌合可能な突状部が形成される。また、蓋１１７の中心には円形の穴１１９が形成され、その左右両側に複数の通気穴１２０が形成される。
【００１５】
フィルタ装置１２１は、フィルタケース１２２と、このフィルタケース１２２内に配置されるフィルタ材１３７及び散気部材１３８と、フィルタケース１２２に挿着されて散気部材１３８に連結される送気管１３９とにより構成される。フィルタケース１２２は（ボックス本体１０１の）側面壁１０３の高さ（上下方向の寸法）及び幅（前後方向の寸法）よりも小さい箱形形状で、側面壁１０３に対接される後面１２３を開口されて、当該側面壁１０３に対向される前面１２４と、前面１２４から上部後方に向けて断面略円弧状に連続される上面１２５と、前面１２４から下部後方に下方傾斜される下面１２６と、上面１２５、前面１２４及び下面１２６の断面形状に対応する両側面１２７の５面からなり、さらに上面１２５の上縁部から上方に延びる延長面１２８を有する。このような６面の構成において、下面１２６に成魚及び稚魚、卵の通過を許さない（すなわち、通過不可能な）複数の通水孔（図示省略）が形成され。また、一方の側面１２７には送気管１３９のための挿着部１３０が開口側から略Ｕ字形に切り欠かれて形成される。さらに、下面１２６の下縁部に上方に向けて僅かに突出する係止爪１３１が形成され、延長面１２８の上縁部に内側に向けて僅かに鉤状に突出する係止爪１３２が形成されて、これらの係止爪１３１、１３２によりフィルタ装置１２１をボックス本体１０１の取付部１０９に取り付けるための係着部１３３をなす。フィルタケース１２２の内部は両側面１２７、１２７間の中心位置で上面１２５から下面１２６近くまで、上面１２５及び前面１２４の内側面から各側面１２７と略同様な仕切り面１３４が突出されて、この仕切り面１３４を境にその片側一方にボックス本体１０１の各側面壁１０３の中間部及び下部の各通水孔１０５に対応するフィルタ材装填部１３５が形成され、他方にボックス本体１０１の各側面壁１０３の上部の通水孔１０５に対応する散気部材設置部１３６が形成される。この場合、仕切り面１３４の下部は切り欠かれていて、フィルタケース１２２内部のフィルタ材装填部１３５と散気部材設置部１３６は下部で連通される。フィルタ材装填部１３５にフィルタ材１３７が装填される。散気部材設置部１３６に散気部材１３８が側面１２７の挿着部１３０に挿着された送気管１３９の先端に支持されて設置される。
【００１６】
このベビーボックス１０の場合、ボックス本体１０１の内部に第１の仕切り板１１０が配置されて、ボックス本体１０１の内部が上下に区画される。この場合、第１の仕切り板１１０（の略Ｖ字形の左右両端）をボックス本体１０１の左右各側面壁１０３、１０３の内側面に設けられた各突状部１０６、１０６に載せればよい。なお、この仕切り板１１０を取り外す場合は、仕切り板１１０を軽く上に引き上げればよい。これにより、この仕切り板１１０の上方に親魚のための第１の飼育室１４１が区画形成され、この仕切り板１１０の下方に稚魚、卵のための第２の飼育室１４２が区画形成され、この仕切り板１１０の前後の傾斜面により形成された断面Ｖ字形の谷部と、これらの傾斜面間の、稚魚、卵の通過を許し、成魚の通過を許さない長溝状のスリット１１１とより、第１、第２の飼育室１４１、１４２間に第１の飼育室１４１で親魚から産み落とされた稚魚又は卵を第２の飼育室１４２に誘導案内する案内路１４３が形成される。第２の仕切り板１１５は任意的に使用され、同時に２匹の親魚を収納する場合に、第１の仕切り板１１０上に第２の仕切り板１１５が配置されることで、第１の飼育室１４１をさらに左右に区画することができる。この場合、第２の仕切り板１１５を第１の仕切り板１１０上に形成された取付溝１１３に上から軽く差し込むだけでよい。なお、この仕切り板１１５を取り外す場合は、仕切り板１１５を軽く上に引き上げればよい。これにより、第１の飼育室１４１はさらに左右方向に均等に区画される。フィルタ装置１２１はボックス本体１０１の一方の側面壁１０３に取り付けられる。このフィルタ装置１２１は、既述のとおり、ボックス１０１の左右どちらの側面壁１０３にも取り付けることができ、この場合、フィルタケース１２２上部の係止爪１３２を側面壁１０３上部の凹部１０７に掛けて、フィルタケース１２２下部の係止爪１３１を側面壁１０３下部の凸部１０８に向けて軽く押圧することで、下部の係止爪１３１が下部の凸部１０８を乗り越えて係止され、上下の各係止爪１３２、１３１が側面壁１０３の取付部１０９に係着される。このようにしてフィルタ装置１２１が一方の側面壁１０３に取り付けられて、フィルタ装置１２１内部のフィルタ材装填部１３５が側面壁１０３の中間部及び下部の各通水孔１０５、１０５上に配置され、散気部材設置部１３６が側面壁１０３の上部の通水孔１０５上に配置される。そして、このボックス本体１０１の上面に蓋１１７が被せられる。この場合、蓋１１７の下面側の突状部をボックス本体１０１上面の開口１０２に合わせて、蓋１０７を上から軽く押せばよく、蓋１１７の突状部がボックス本体１０１上面の開口１０２に嵌入されて、蓋１１７がボックス本体１０１の上面に固定される。
【００１７】
このようにベビーボックス１０は通水構造のボックス本体１０１からなり、このボックス本体１０１内部に、親魚のために区画された第１の飼育室１４１と、稚魚又は卵のために区画された第２の飼育室１４２と、各飼育室１４１、１４２間に形成され、第１の飼育室１４１で親魚から産み落とされた稚魚又は卵を第２の飼育室１４２に誘導案内する案内路１４３とを備え、また、ボックス本体１０１の一方の側面壁１０３にフィルタ装置１２１が付けられる。
【００１８】
一方、ボックスホルダ１は、水槽の内壁に固定するための吸盤１２を有し、ボックス本体１０１と水槽の内壁との間に介在される基部１１と、基部１１に設けられて、ボックス本体１０１の背面の少なくとも左右方向両側に当接される背面支持部１３と、基部１１に設けられて、ボックス本体１０１の底面を受ける底面受け部１４と、基部１１に設けられて、ボックス本体１０１の両側面を支持する両側面支持部１５と、基部１１及びボックス本体１０１間に設けられて、ボックス本体１０１を少なくとも正面側から背面側に向けて押えるボックス本体押え部１６とにより構成される。この場合、ボックスホルダ１は（透明の）プラスチック成形品で、基部１１は枠形状に形成されるとともに、この基部１１に他の各部１３〜１６が一体に形成される。ここで基部１１はボックス本体１０１の背面の外形よりも少し大きい矩形の枠形状に形成され、上部、下部、及び両側部からなり、各部に所定の幅（この場合、吸盤１２の直径よりも小さい）を有し、厚さは適宜の寸法（ボックス本体１０１の厚さと略同じか僅かに小さい）が設定される。この基部１１の四隅には吸盤取付穴１１ａが設けられ、これら４つの取付穴１１ａにこの基部１１の後面側から４つの吸盤１２が裏面の固定用の突起１２ａを圧入されて取り付けられる。背面支持部１３は基部１１の上部の内側縁及び外側縁と両側部の内側縁に前方に向けて直角に突設される。この背面支持部１３は基部１１から大きく突出される必要はなく、少なくとも、基部１１から前方に向けて突出される吸盤１２の突起１２ａよりも少し前方に突出される程度でよい。厚さは適宜の寸法（基部１１と略同じ）が設定される。底面受け部１４は基部１１の下部に内側縁に前方に向けて直角に突設される。この底面受け部１４はボックス本体１０１の底面の背面側縁部を支持できる程度に突出される。厚さは適宜の寸法が設定される（基部１１と略同じ）。両側面支持部１５、１５は基部１１両側部の外側縁に前方に向けて直角に突設される。この両側面支持部１５、１５はボックス本体１０１の両側面の背面側縁部を支持できる程度に突出される。ボックス本体押え部１６は、ボックス本体１０１の両側面上部に両側方に向けて突設された突状部１６２、１６２と、両側面支持部１５、１５の上部に内方に向けて突設されて、ボックス本体１０１の各突状部１６２、１６２に係合可能な係止部１６１、１６１とにより構成される。各突状部１６２、１６２はボックス本体１０１の両側面最上部に両側方に向けて適宜突出されればよく、各係止部１６１、１６１は両側面支持部１５、１５の最上部に内方に向けて適宜突出されればよい。
【００１９】
ベビーボックス１０は、図８に示すように、このボックスホルダ１を介して水槽に取り付けられる。この場合、まず、図８（１）に示すように、ボックスホルダ１の上下方向を水槽の上下方向に合わせ、ボックスホルダ１の後面四隅の各吸盤１２を水槽の内壁上部の取り付け位置に対向させて、各吸盤１２をガラス面に吸着固定する。そして、このボックスホルダ１にベビーボックス１０を上から下に向けて嵌め込めばよい。この場合、図８（２）に示すように、ボックスホルダ１の上で、ボックス本体１０１の上下、前後、左右の各方向をボックスホルダ１の上下、前後、左右の各方向に対応させ、ボックス本体１０１の各側面と背面との直角の角をボックスホルダ１の基部１１両側部と両側面支持部１５、１５との直角のコーナーに入れて、ボックス本体１０１をそのまま下方にスライドさせる。図８（３）に示すように、ボックス本体１０１の底面がボックスホルダ１の底面受け部１４に当たったところで、ボックス本体１０１の上部両側に外方に突出する各突状部１６２に対して、直前位置で、ボックスホルダ１の上部両側に内方に突出する各係止部１６１が対接し、両者が係合される。これにより、ボックス本体１０１は、背面をボックスホルダ１上部及び両側部の背面支持部１３により当接された状態で、底面（の背面側縁部）がボックスホルダ１下部の底面受け部１４に支持されるとともに、両側面（の背面側縁部）がボックスホルダ１両側部の両側面支持部１５、１５で支持され、そして両側面上部の各突状部１６２、１６２とボックスホルダ１両側部上部の各係止部１６１、１６１との係合により、ボックス本体１０１全体が正面側から背面側に向けて押えられて、ボックスホルダ１の各部１３〜１６により保持される。また、ボックス本体１０１を水槽に取り付ける場合、あらかじめボックスホルダ１にボックス本体１０１を嵌め込んでおき、このまま、このボックスホルダ１を４つの吸盤１２により水槽の内壁に固定するようにしてもよい。また、ベビーボックス１０を水槽から取り外す場合は、このボックスホルダ１に保持されたボックス本体１０１を下から上に向けて持ち上げればよい。ボックス本体１０１を一時的に取り外す場合は、ボックスホルダ１を水槽に付けたままにしておけばよく、ボックス本体１０１をこのボックスホルダ１に同様の要領で取り付けることができる。また、ボックス本体１０１とともにボックスホルダ１も取り外すときは、基部１１が枠形状に形成され、その後面に吸盤１２が取り付けられているので、基部１１の上から吸盤１２の周囲を掴み、各吸盤１２を直接水槽のガラス面から剥がして、ボックスホルダ１を水槽から取り外せばよい。
【００２０】
なお、このベビーボックス１０の使い方について簡単に説明しておくと、ベビーボックスを水槽の内壁に取り付けた後、（図１を参照すると）フィルタ装置１２１の送気管１３９にエア供給用のホースを連結して、エアポンプを（図示省略）接続する。そして、このエアポンプを作動することにより、エアが供給され、ホース、送気管１３９を通じて、散気装置１３８から泡状にして放出される。泡はフィルタ装置１３８が取り付けられた一方の側面壁１０３上部の通水孔１０５を通じて、ボックス本体１０１内部に送り出される。このエアにより、ボックス本体１０１内部に緩やかな水流が作り出され、水の腐敗が防止されるとともに、ボックス本体１０１の外から水が取り入れられる。この場合、水はフィルタケース１２２下面の通水孔を通じて取り入れられ、フィルタ材１３７を通して濾過されながら、フィルタ装置１２１が取り付けられた一方の側面壁１０３中間部及び下部の各通水孔１０５を通じて、ボックス本体１０１内部に送り出される。このようにしてベビーボックス１０内部に産卵期の親魚の飼育に好適な環境が作られ、第１の飼育室１４１で親魚を飼育することができる。そして、親魚から稚魚や卵が産み落とされると、この稚魚や卵がボックス本体１０１の第１の仕切り板１１０の断面Ｖ字形状部（谷）に沿って誘導され、最下部の溝形形状部のスリット１１１を通じて、下方の第２の飼育室１４２内に落下する。この第２の飼育室１４２で稚魚や卵を親その他の成魚から隔離して育成することができる。
【００２１】
以上説明したように、このボックスホルダ１は、ベビーボックス１０を水槽の内壁に取り付けるための別体の器具で、水槽の内壁に固定するための吸盤１２を有し、ボックス本体１０１と水槽の内壁との間に介在される基部１１と、基部１１に一体に設けられて、ボックス本体１０１の背面の少なくとも左右方向両側に当接する背面支持部１３と、基部１１に一体に設けられて、ボックス本体１０１の底面の背面側縁部を受ける底面受け部１４と、基部１１に一体に設けられて、ボックス本体１０１の両側面の背面側縁部を支持する両側面支持部１５、１５と、基部１１とボックス本体１０１との間に設けられて、ボックス本体１０１を少なくとも正面側から背面側に向けて押えるボックス本体押え部１６、１６とにより構成され、ボックスホルダ１を基部１１の吸盤１２を介して水槽の内壁に固定し、基部１１に設けられた各部１３〜１６によりボックス本体１０１を上下方向に着脱可能に保持するようにしたので、ベビーボックス１０を水槽に取り付ける場合は、ボックスホルダ１を吸盤１２により水槽の内壁に固定しておき、このボックスホルダ１にボックス本体１０１を上から下に向けて嵌め込むか、あるいはボックスホルダ１にボックス本体１０１を嵌め込み、このまま、このボックスホルダ１を吸盤１２により水槽の内壁に固定すればよく、ベビーボックス１０を水槽から取り外す場合は、このボックスホルダ１に保持されたボックス本体１０１を下から上に向けて持ち上げればよく、非常にシンプルな形の器具でありながら、ベビーボックス１０の水槽への取り付け、取り外しを簡便に行うことができる。また、このボックスホルダ１の場合、基部１１を矩形状の枠状に形成し、その後面四隅に４つの吸盤１２を取り付けているので、基部１１の上から吸盤１２の周囲を掴んで、各吸盤１２を直接水槽のガラス面から剥がしやすく、このボックスホルダ１それ自体も水槽の内壁から容易に取り外すことができる。したがって、このボックスホルダ１及びこれを用いたベビーボックス１０によれば、従来のように、ベビーボックスが水槽からなかなか外れないために、これを無理に取り外そうとして、水槽を動かして水槽内の水をこぼしたり、ベビーボックスの中で稚魚や卵、また成魚を産卵箱の内壁や仕切り板にぶつけて損傷させたりすることがない。
【００２２】
また、このベビーボックス１０においては、ボックス本体１０１の側面にフィルタ装置１２１を備え、このフィルタ装置１２１はボックス本体１０１の前後方向（正面及び背面方向）に対応する前後方向の片側一方にエアを供給する散気装置設置部１３６を、他方に水をろ過するフィルタ材装填部１３５を有し、上部及び下部に係止爪１３１、１３２が設けられ、ボックス本体１０１の両側面にフィルタ装置１２１の散気装置設置部１３６に連通される通水孔１０５とフィルタ材装填部１３５に連通される通水孔１０５が相互に反転された状態に形成され、上部及び下部にフィルタ装置１２１の各係止爪１３１、１３２に係合可能な凹部１０７及び凸部１０８を設けられて、フィルタ装置１２１がボックス本体１０１の両側面に選択的に取り付けられるので、散気部材１３８に接続するエアポンプの設置位置やこのエアポンプの電源の位置に応じて、フィルタ装置１２１の取り付け位置を変えることができるなど、利便性の向上を図ることができる。
【００２３】
図２乃至図５に第２乃至第５の実施の形態を示している。これらの実施の形態はいずれも、第１の実施の形態とはボックスホルダの形状のみが異なるもので、ボックスホルダのみを例示している。
【００２４】
図２に示すように、第２の実施の形態では、基部２１が略Ｕ字形に形成され、この場合、第１の実施の形態における枠形状の基部１１から上部が取り除かれた形状で、その後面四隅（第１の実施の形態における四隅に対応する位置）にそれぞれ、吸盤２２が取り付けられる。そして、背面支持部２３が基部２１両側の内側縁に前方に向けて突設され、底面受け部２４が基部２１の下部に前方に向けて突設され、両側面支持部２５、２５が基部２１両側の外側縁に前方に向けて突設され、ボックス本体押え部２６、２６が、ボックス本体１０１の両側面上部に両側方に向けて突設された突状部１６２、１６２（図１参照）と、両側面支持部２５、２５の上部に内方に向けて突設されて突状部１６２、１６２に係合可能な係止部２６１、２６１とにより構成される。このようにしても第１の実施の形態と同様の作用効果を奏することができる。
【００２５】
図３に示すように、第３の実施の形態では、基部３１が略逆Ｕ字形に形成され、この場合、第１の実施の形態における枠形状の基部から下部が取り除かれた形状で、その後面四隅（第１の実施の形態における四隅に対応する位置）にそれぞれ、吸盤３２が取り付けられる。そして、背面支持部３３が基部３１上部及び両側の内側縁に前方に向けて突設され、底面受け部３４が基部３１両側の下部に前方に向けて突設され、両側面支持部３５、３５が基部３１両側の外側縁に前方に向けて突設され、ボックス本体押え部３６、３６が、ボックス本体１０１の両側面上部に両側方に向けて突設された突状部１６２、１６２（図１参照）と、両側面支持部３５、３５の上部に内方に向けて突設されて突状部１６２、１６２に係合可能な係止部３６１、３６１とにより構成される。このようにしても第１の実施の形態と同様の作用効果を奏することができる。
【００２６】
図４に示すように、第４の実施の形態では、基部４１がボックス本体の背面両側に対応する一対の基材により形成され、この場合、第１の実施の形態における枠形状の基部から上部及び下部が取り除かれた形状で、各基材の後面上下に吸盤４２が取り付けられる。そして、背面支持部４３が各基材の内側縁に前方に向けて突設され、底面受け部４４が各基材の下部に前方に向けて突設され、両側面支持部４５、４５が各基材の外側縁に前方に向けて突設され、ボックス本体押え部４６、４６が、ボックス本体１０１の両側面上部に両側方に向けて突設された突状部１６２、１６２（図１参照）と、両側面支持部４５、４５の上部に内方に向けて突設されて突状部１６２、１６２に係合可能な係止部４６１、４６１とにより構成される。このようにしても第１の実施の形態と同様の作用効果を奏することができる。
【００２７】
図５に示すように、第５の実施の形態では、基部５１がボックス本体の背面の四隅に対応する４つの基材により形成され、この場合、第１の実施の形態における枠形状の基部から四隅のみを残した形状で、各基材の後面に吸盤５２を取り付けられる。そして、背面支持部５３が各基材の内側縁に前方に向けて突設され、底面受け部５４が各基材のうち下部の各基材に前方に向けて突設され、両側面支持部５５、５５が各基材の外側縁に前方に向けて突設され、ボックス本体押え部５６、５６が、ボックス本体１０１の両側面上部に両側方に向けて突設された突状部１６２、１６２（図１参照）と、各基材のうち上部の各基材の両側面支持部５５、５５に内方に向けて突設されて突状部１６２、１６２に係合可能な係止部５６１、５６１とにより構成される。このようにしても第１の実施の形態と同様の作用効果を奏することができる。
【００２８】
以上、第１の実施の形態から第５の実施の形態までベビーボックス及びベビーボックス用のボックスホルダを例示したが、本発明はベビーボックスに限定されるものではなく、その他の各種ボックスにも同様に適用することができる。その具体例として、第６の実施の形態に生体用隔離ボックス６０及び生体用隔離ボックス用のボックスホルダ６を例示し、第７の実施の形態に孵化器７０及び孵化器用のボックスホルダ７を例示した。
【００２９】
図６に第６の実施の形態を示している。図６に示すように、生体用隔離ボックス６０は（透明の）プラスチック成形品で、ボックス本体６０１と、仕切り板６１５と、蓋６１７とにより構成される。この場合、ボックス本体６０１は大きさ、形状その他の構成が既述のベビーボックス１０（のボックス本体１０１）と略同様で、このボックス本体６０１の場合、正面壁及び背面壁の内面で左右方向中央下部にそれぞれ、一対の突状部６１２が仕切り板６１５が嵌合可能な所定の隙間間隔で上下方向に向けて形成され、仕切り板６１５のための取付溝６１３が設けられる。このボックス本体６０１の構成についてはベビーボックス１０（のボックス本体１０１）の説明と重複するので、ここではベビーボックス１０と共通の事項に同じ符号を付してその説明を省略する。仕切り板６１５はボックス本体６０１内部の空間を左右に区画するための板状の部品で、全体がボックス本体６０１内部の空間を左右方向両側に遮断可能に左右の側面壁１０３と略同形状に形成され、その略中央に魚の通過を許さない通水孔６１６が形成される。蓋６１７は大きさ、形状その他の構成が既述のベビーボックス１０の蓋１１７と略同様に形成される。この蓋１１７の構成についてもベビーボックス１０（の蓋１１７）の説明と重複するので、ここではベビーボックス１０と共通の事項に同じ符号を付してその重複した説明を省略する。このようにボックス本体６０１がベビーボックス１０のボックス本体１０１と共通する関係で、ボックスホルダ６もまたベビーボックス１０用のボックスホルダ１と同様に形成され、第１の実施の形態と同じ構成を備える。このボックスホルダ６についてもベビーボックス１０用のボックスホルダ１の説明と重複するので、ここではベビーボックス１０と共通の事項に同じ符号を付してその重複した説明を省略する。このようにして生体用隔離ボックス６０は、仕切り板６１５がボックス本体６０１内部に正面壁及び背面壁に形成された取付溝６１３に上から差し込まれて配置され、ボックス本体６０１内部が左右に区画される。そして、このボックス本体６０１の上面に蓋６１７が被せられる。この生体用隔離ボックス６０は、ベビーボックス１０と同様に、図８に示すように、ボックスホルダ６を介して水槽に取り付けられ、この取り付け及び取り外しについて第１の実施の形態と同様の作用効果を奏することができる。なお、この実施の形態では、ボックスホルダ６について第１の実施の形態のボックスホルダ１と同様の構成を例示したが、第２乃至第５の実施の形態と同様の構成に変えることができ、このようにしても第１の実施の形態のボックスホルダ１と同様の作用効果を得ることができる。
【００３０】
図７に第７の実施の形態を示している。図７に示すように、孵化器７０は（透明の）プラスチック成形品で、２つの平面形状の側面壁７０１、７０１と、１つの曲面形状の側面壁７０２と、略漏斗状の底面壁７０３と、１つの脚壁７０４とからなり、上面が開口される。この場合、２つの平面形状の側面壁７０１、７０１はそれぞれ縦長の長方形に形成され、これらの側面壁７０１、７０１が水平断面が略Ｌ字形の直角に接合される。なお、この孵化器７０の場合、一方の側面壁７０１の左右両側縁部で上部所定の位置に突状部７１２、７１２が側方に向けて突出される。１つの曲面形状の側面壁７０２は円弧状に形成され、直角の２つの側面壁７０１、７０１間の上半部側で各側縁部間に接合される。底面壁７０３は略漏斗状に形成され、直角の２つの側面壁７０１、７０１間の下半部側で曲面状の側面壁７０２の下縁部と２つの側面壁７０１、７０１の壁面から下方に向けて突出される。脚壁７０４は水平断面が略Т字形の全体が柱状に形成され、曲面形状の側面壁７０２の下部中央から平面形状の各側面壁７０１、７０１と平行に下方に向けて、各側面壁７０１、７０１の下端と同じ位置まで突出される。ボックスホルダ７は基本的に第１の実施の形態と同じ構成を備え、孵化器７０の一方の平面形状の側面壁７０１の外形に合わせて全体が縦長に形成される点が第１の実施の形態と異なるだけなので、ここでは第１の実施の形態のボックスホルダ１と共通の事項に同じ符号を付してその重複した説明を省略する。このようにして孵化器７０は、ベビーボックス１０と同様に、ボックスホルダ７を介して水槽に取り付けられ、この取り付け及び取り外しについて第１の実施の形態と同様の作用効果を奏することができる。なお、この実施の形態では、ボックスホルダ７について第１の実施の形態のボックスホルダ１と同様の構成を例示したが、第２乃至第５の実施の形態と同様の構成に変更することもでき、このようにしても第１の実施の形態のボックスホルダ１と同様の作用効果を得ることができる。
【００３１】
なお、上記各実施の形態では、ボックスホルダ１〜７のボックス本体押え部１６、２６、３６、４６、５６を構成する一方の突状部１１２、６１２、７１２をボックス本体１０１、６０１、７０１に一体に形成しているが、この突状部１１２、６１２、７１２をボックスホルダ１〜７の一部品として別体に形成し、接着剤その他の固定手段を介してボックス本体に後付けで接合するようにしてもよい。この場合、突状部１１２、６１２、７１２をその凸形状部とともにボックス本体に対する取付部をボックス本体の取付位置の表面形状に合わせて形成することが好ましい。このようにすることで（突状部を有しない）既存の各種ボックスにもボックスホルダを適用することができる。
【００３２】
また、上記各実施の形態では、ベビーボックス１０、生体用隔離ボックス６０、孵化器７０、及びそれぞれのボックスホルダ１、６、７を例示したが、これらのボックス１０、６０、７０以外にも、観賞魚用の水槽の内壁に取り付けて使用する各種ボックスに基本的に同様の構成を有するボックスホルダを採用することができ、同様の作用効果を奏することができることは勿論である。
【図面の簡単な説明】
【００３３】
【図１】本発明の第１の実施の形態における水槽用各種ボックス及び水槽用ボックスホルダの斜視図
【図２】本発明の第２の実施の形態における水槽用ボックスホルダの斜視図
【図３】本発明の第３の実施の形態における水槽用ボックスホルダの斜視図
【図４】本発明の第４の実施の形態における水槽用ボックスホルダの斜視図
【図５】本発明の第５の実施の形態における水槽用ボックスホルダの斜視図
【図６】本発明の第６の実施の形態における水槽用各種ボックス及び水槽用ボックスホルダの斜視図
【図７】本発明の第７の実施の形態における水槽用各種ボックス及び水槽用ボックスホルダの斜視図
【図８】第１、第６及び第７の各実施の形態における水槽用各種ボックスを同水槽用ボックスホルダを用いて水槽の内壁に取り付ける場合の手順を示す斜視図
【符号の説明】
【００３４】
１  水槽用ボックスホルダ
１１、２１、３１、４１、５１  基部
１１ａ  吸盤取付穴
１２、２２、３２、４２、５２  吸盤
１２ａ  突起
１３、２３、３３、４３、５３  背面支持部
１４、２４、３４、４４、５４  底面受け部
１５、２５、３５、４５、５５  側面支持部
１６、２６、３６、４６、５６  ボックス本体押え部
１６１、２６１、３６１、４６１、５６１  係止部
１０  ベビーボックス（水槽用各種ボックス）
１０１  ボックス本体
１０２  開口
１０３  側面壁
１０４  底面壁
１０５  通水孔
１０６  突状部
１０７  凹部
１０８  凸部
１０９  フィルタ装置の取付部
１１０  第１の仕切り板
１１１  スリット
１１２  一対の突状部
１１３  取付溝
１１４  リブ
１１５  第２の仕切り板
１１６  通水孔
１１７  蓋
１１８  突状部
１１９  穴
１２０  通気穴
１２１  フィルタ装置
１２２  フィルタケース
１２３  後面
１２４  前面
１２５  上面
１２６  下面
１２７  側面
１２８  延長面
１３０  挿着部
１３１  係止爪
１３２  係止爪
１３３  係着部
１３４  仕切り面
１３５  フィルタ材装填部
１３６  散気部材設置部
１３７  フィルタ材
１３８  散気部材
１３９  送気管
１４１  第１の飼育室
１４２  第２の飼育室
１４３  案内路
１６２  突状部
６  ボックスホルダ
６０  生体用隔離ボックス
６０１  ボックス本体
６１２  一対の突状部
６１３  取付溝
６１５  仕切り板
６１６  通水孔
６１７  蓋
７  ボックスホルダ
７０  孵化器
７０１  平面形状の側面壁
７０２  曲面形状の側面壁
７０３  底面壁
７０４  脚壁
７１２  一対の突状部
【図１】
2008237106.tif 000003
【図２】
2008237106.tif 000004
【図３】
2008237106.tif 000005
【図４】
2008237106.tif 000006
【図５】
2008237106.tif 000007
【図６】
2008237106.tif 000008
【図７】
2008237106.tif 000009
【図８】
2008237106.tif 000010